(57)【要約】      （修正有）【課題】緊密且つ堅固に蓋を閉める効果を達成するスナップフィット紙弁当箱を提供する。【解決手段】スナップフィット紙弁当箱は、ボックス本体２０及びボックスカバー４０を備えている。ボックスカバーは２つの第二挿入部４４がボックス本体の２つの第一挿入部３０に挿設され、ボックスカバーが係合方式でボックス本体に固定される。また、ボックスカバーはカバー４１及び翼部４２を有し、カバーはボックス本体の収容スペース２５に蓋をし、翼部はカバーに連接されていると共にカバーとの間で少なくとも一部分が接着されている。これにより、紙弁当箱はボックスカバーとボックス本体との間の密閉性が高まり、外界からの異物の進入を効果的に防止し、ボックスカバーの係合効果をさらに緊密で確実にしている。【選択図】図２
0003235058.tif 000002
【実用新案登録請求の範囲】
【請求項１】
収容スペース及び側壁を有し、前記側壁は前記収容スペースを包囲していると共に挿入口部を有しているボックス本体と、
前記収容スペースに蓋をするためのカバー、及び前記カバーに連接されている翼部を有するボックスカバーであって、前記翼部は挿入部を有し、前記翼部は前記挿入部が前記ボックス本体の側壁の挿入口部に挿設されるボックスカバーと、を備えるスナップフィット紙弁当箱であって、
前記翼部は前記カバーに近接する部位及び前記カバーの前記翼部に近接する部位が全面的または部分的に固定されていることを特徴とするスナップフィット紙弁当箱。
【請求項２】
前記翼部と前記カバーとの間には折り目が形成され、前記折り目には少なくとも１つの接着部が設けられ、前記翼部の前記カバーに近接する部位及び前記カバーの前記翼部に近接する部位が全面的または部分的に接着されて固定されていることを特徴とする請求項１に記載のスナップフィット紙弁当箱。
【請求項３】
前記折り目には単一の前記接着部のみが設けられ、前記翼部の前記カバーに近接する部位及び前記カバーの前記翼部に近接する部位が全面的に接着されて固定されていることを特徴とする請求項２に記載のスナップフィット紙弁当箱。
【請求項４】
前記折り目には間隔を空けて配列されている複数の前記接着部が設けられ、前記翼部の前記カバーに近接する部位及び前記カバーの前記翼部に近接する部位が部分的に接着されて固定されていることを特徴とする請求項２に記載のスナップフィット紙弁当箱。
【請求項５】
第一側壁と、第二側壁と、対向しあう２つの第三側壁とを有するボックス本体であって、前記第一側壁は第一挿入部を有し、前記第一挿入部は挿入口部及び前記挿入口部に対向するように連通している２つのスリットを有し、各前記第三側壁は前記第一側壁と前記第二側壁との間に連接され、前記第一側壁、前記第二側壁、及びこれら前記第三側壁が収容スペースを包囲しているボックス本体と、
カバー及び翼部を有しているボックスカバーであって、前記カバーは前記収容スペースに蓋をし、前記翼部は前記カバーに連接されていると共に前記カバーとの間で少なくとも一部分が接着され、前記翼部は第二挿入部を有し、前記ボックスカバーは前記翼部の前記第二挿入部が前記ボックス本体の前記第一挿入部の挿入口部内に挿設されると共に前記ボックス本体の前記第一挿入部のこれら前記スリット内にそれぞれ挟装されるボックスカバーと、を備えていることを特徴とするスナップフィット紙弁当箱。
【請求項６】
前記カバーの底面と前記翼部の内周面との間は接着部により接着され、前記カバーと前記翼部との間には折り目を有し、前記接着部は前記折り目に覆設されるように全面的に延伸されていることを特徴とする請求項５に記載のスナップフィット紙弁当箱。
【請求項７】
前記カバーの底面と前記翼部の内周面との間は間隔を空けて配列されている複数の接着部により接着され、前記カバーと前記翼部との間には折り目を有し、前記間隔を空けて配列されている複数の接着部は前記折り目に間隔を空けて配列するように設置されていることを特徴とする請求項５に記載のスナップフィット紙弁当箱。
【請求項８】
前記ボックス本体は２つの補強板をさらに有し、各前記補強板は前記第三側壁の上縁から外に向けて延伸されていると共に隣接する前記第三側壁に少なくとも一部分が接着されていることを特徴とする請求項５乃至７の何れか１項に記載のスナップフィット紙弁当箱。
【請求項９】
前記ボックス本体の前記第一挿入部はガイド部をさらに有し、前記ガイド部は前記挿入口部に正対していると共にこれら前記スリットの間に位置していることを特徴とする請求項５に記載のスナップフィット紙弁当箱。
【請求項１０】
前記第二挿入部は外方向に漸縮するテーパー形状を呈していることを特徴とする請求項５に記載のスナップフィット紙弁当箱。
【考案の詳細な説明】
【技術分野】
【０００１】
本考案は、紙弁当箱に関し、より詳しくは、スナップフィット紙弁当箱に関する。
【背景技術】
【０００２】
一般的なよくある紙弁当箱は通常ボックス本体及びボックスカバーで構成され、食物をボックス本体内に盛り付けた後、ボックスカバーを輪ゴムで縛ってボックス本体に固定し、食物が零れ出さないようにし、或いは埃や虫等の異物がボックス本体内に入らないようにしている。
【先行技術文献】
【特許文献】
【０００３】
【特許文献１】日本登録実用新案第３２０９６０２号公報
【考案の概要】
【考案が解決しようとする課題】
【０００４】
しかしながら、前述した従来の紙弁当箱は別途輪ゴムを使用しなければ密閉効果が得られず、環境保護の点から好ましくないほか、使用コストも高かった。
【０００５】
また、輪ゴムを使用することにより発生するコストを節約するため、以来紙弁当箱は主にボックスカバーの側辺に少なくとも１つの係着片を設置し、ボックスカバーの係着片をボックス本体の対応する係着穴内に挿入することで、輪ゴムを使用せずにボックスカバーを固定する効果を達成している(特許文献１参照)。但し、このような係着式ボックスカバーは構造支持性能が不十分であり、固定効果が不足し、ボックス本体とボックスカバーとの間に隙間ができて前述の異物がボックス本体内に進入することがあった。
【０００６】
そこで、本考案者は上記の欠点が改善可能と考え、鋭意検討を重ねた結果、合理的設計で上記の課題を効果的に改善する本考案の提案に至った。
【０００７】
本考案は前記技術的課題に鑑みて開発されたものであり、構造支持性能を高め、緊密且つ堅固に蓋を閉める効果を達成するスナップフィット紙弁当箱を提供することを目的とする。
【課題を解決するための手段】
【０００８】
上記課題を解決するために、本考案のある態様のスナップフィット紙弁当箱は、ボックス本体及びボックスカバーを備えている。ボックス本体は収容スペース及び側壁を有し、前記側壁は前記収容スペースを包囲していると共に挿入口部を有している。前記ボックスカバーは前記収容スペースに蓋をするためのカバー、及び前記カバーに連接されている翼部を有し、前記翼部は挿入部を有し、前記翼部は前記挿入部がボックス本体の側壁の挿入口部に挿設されている。前記翼部の前記カバーに近接する部位及び前記カバーの前記翼部に近接する部位は全面的または部分的に固定されている。
【０００９】
本考案のスナップフィット紙弁当箱は前記カバーと前記翼部との間が接着される設計に、前記ボックス本体と前記ボックスカバーとの間が挿着される設計を組み合わせ、前記ボックスカバーの構造支持性能を高め、前記ボックスカバーの係合効果をさらに緊密で確実なものにする。これにより、前記ボックスカバーと前記ボックス本体との間の密閉性を高め、埃や虫等の外界の異物が進入するのを効果的に防止する。
【００１０】
好ましくは、前記翼部と前記カバーとの間には折り目が形成され、且つ前記折り目には少なくとも１つの接着部が設けられ、前記翼部の前記カバーに近接する部位及び前記カバーの前記翼部に近接する部位が全面的または部分的に接着されて固定されている。
【００１１】
好ましくは、前記折り目には単一の前記接着部のみが設けられ、前記翼部の前記カバーに近接する部位及び前記カバーの前記翼部に近接する部位が全面的に接着されて固定されている。
【００１２】
好ましくは、前記折り目には間隔を空けて配列されている複数の接着部が設けられ、前記翼部の前記カバーに近接する部位及び前記カバーの前記翼部に近接する部位が部分的に接着されて固定されている。
【００１３】
上述した目的を達成するために、本考案の別の態様は、スナップフィット紙弁当箱である。このスナップフィット紙弁当箱は、第一側壁と、前記第一側壁に対する第二側壁と、対向しあう２つの第三側壁とを有しているボックス本体であって、前記第一側壁は第一挿入部を有し、前記第一挿入部は挿入口部及び前記挿入口部に対向するように連通している２つのスリットを有し、各前記第三側壁は前記第一側壁と前記第二側壁との間に連接され、これらの三者が収容スペースを包囲しているボックス本体と、カバー及び翼部を有しているボックスカバーであって、前記カバーは前記収容スペースに蓋をし、前記翼部は前記カバーに連接されていると共に前記カバーとの間で少なくとも一部分が接着され、前記翼部は第二挿入部を有し、前記ボックスカバーは前記翼部の前記第二挿入部が前記ボックス本体の前記第一挿入部の挿入口部内に挿設されると共に前記ボックス本体の前記第一挿入部のこれら前記スリット内にそれぞれ挟装され、前記ボックスカバーがボックス本体に高速に固定されるボックスカバーと、を備えている。
【００１４】
好ましくは、前記カバーの底面と前記翼部の内周面との間はホットメルト方式により形成された１つまたは複数の接着部により接着され、前記カバーと前記翼部との間には折り目を有し、前記折り目は前記接着部により全部被覆されるか、これら前記接着部により部分的に被覆されている。
【００１５】
好ましくは、前記ボックス本体は２つの補強板をさらに有し、各前記補強板は前記第三側壁の上縁から外に向けて延伸されていると共に隣接する前記第三側壁に少なくとも一部分が接着され、これにより前記ボックス本体の構造強度が強化されている。
【００１６】
好ましくは、前記ボックス本体の各前記第一挿入部はガイド部をさらに有し、前記ガイド部は前記挿入口部に正対していると共にこれら前記スリットの間に位置している。これにより、前記ボックスカバーを固定する際に、まず前記ボックスカバーの第二挿入部を前記ガイド部に当接し、前記ガイド部に沿って前記挿入口部内に貫入し、高速な位置決め効果を達成している。
【００１７】
好ましくは、各前記第二挿入部は外に向けて漸縮するテーパー形状を呈し、前記挿入口部に安定的に挿入されると共にこれら前記スリット内に挟装される。
【００１８】
本考案に係るスナップフィット紙弁当箱の詳細な構造、特徴、組み立てまたは使用方式について、後述する実施方式の詳細な説明において詳述する。しかしながら、本考案の分野において通常知識を有する者ならば、これらの詳細な説明及び列挙する本考案の特定の実施例は、本考案を説明するためのものにすぎず、本考案の実用新案登録請求の範囲を制限するものではないことを理解できる。
【図面の簡単な説明】
【００１９】
【図１】本考案の第１実施形態に係るスナップフィット紙弁当箱が閉成しているときの傾斜図である。
【図２】本考案の第１実施形態に係るスナップフィット紙弁当箱が開かれているときの傾斜図であって、接着部を翼部とカバ―の接続箇所に設置されていることを示す。
【図３】図２と同じ、複数の接着部を翼部とカバ―の接続箇所に設置していることを示す。
【図４】図２の４−４線に沿う断面図である。
【図５】本考案の第１実施形態に係るスナップフィット紙弁当箱の部分拡大図であって、ボックス本体の第一挿入部とカバーの第二挿入部の構成関係を示す。
【図６】図５の６−６線に沿う断面図である。
【図７】本考案の第１実施形態に係るスナップフィット紙弁当箱の部分断面図であって、ボックス本体の第二挿入部がカバーの第一挿入部に挿設されていることを示す。
【図８】本考案の第２実施形態に係るスナップフィット紙弁当箱が開かれているときの傾斜図であって、接着部を翼部とカバ―の接続箇所に設置されていることを示す。
【図９】図８と同じ、複数の接着部を翼部とカバ―の接続箇所に設置していることを示す。
【図１０】本考案の第３実施形態に係るスナップフィット紙弁当箱を示す展開図である。
【図１１】本考案の第４実施形態に係るスナップフィット紙弁当箱を示す展開図である。
【考案を実施するための形態】
【００２０】
以下、本開示の実施形態について図面を用いて説明する。なお、本開示は、下記の実施形態に何ら限定されることはなく、本開示の技術的範囲に属する限り種々の形態を採りうる。
【００２１】
なお、下記実施例及び実用新案登録請求の範囲の請求項を含む全明細書において、方向に関する名詞は全て図面中の方向を基準としている。また、下記実施例及び図面において、同じ部材符号は同じまたは近似する部材や構造的特徴を示している。
【００２２】
まず、図１と図２に示すように、本考案のスナップフィット紙弁当箱１０は所定形状に裁断した紙材を折曲接着することにより形成しているが、紙材の折曲接着は従来技術であるため、ここでは詳述しない。紙材の内面及び外面にはラミネートまたは積層貼着方式によりポリエチレン（Polyethylene、PE）やポリエチレンテレフタレート（polyethylene terephthalate、PET）等の材質で作成したプラスチックフィルムが設けられ、これにより食材の油が紙材内に染み込むのを防いでいる。
【００２３】
本考案のスナップフィット紙弁当箱１０はボックス本体２０及びボックスカバー４０を備えている（図１と図２参照）。
【００２４】
ボックス本体２０は底壁２１と、第一側壁２２と、第一側壁２２に対する第二側壁２３と、対向しあう左右２つの第三側壁２４とを有している。第一側壁２２及び第二側壁２３は底壁２１の前後の２つの側辺にそれぞれ連接され、２つの第三側壁２４は底壁２１の左右２つの側辺に連接されていると共に第一側壁２２と第二側壁２３との間にそれぞれ連接され、底壁２１、第一側壁２２、第二側壁２３、及び２つの第三側壁２４が共同で食材を盛り付けるための収容スペース２５を包囲している。収容スペース２５内には少なくとも１つの仕切り構成２６がさらに設置され（仕切り構成２６の態様は多様であり、その制限はない）、異なる食材を分類する。また、ボックス本体２０は対向しあう左右２つの補強板２７をさらに有し、２つの補強板２７は２つの第三側壁２４の上縁から収容スペース２５から離れる方向に延伸されていると共に２つの第三側壁２４との間（すなわち、補強板２７及び第三側壁２４の連接箇所）には折り目２８がそれぞれ形成され（説明を分かりやすくするため、以下では第一折り目２８という）、第一折り目２８には単一の接着部２９が全面的に被覆するように設けられている（図２参照）。或いは、間隔を空けて配列されている複数の接着部２９が設置され（図３参照）、補強板２７の第三側壁２４に近接する部位及び第三側壁２４の補強板２７に近接する部位が全面的または部分的に接着されて固定されている。本実施例では、前述の接着部２９は各補強板２７の内周面の第三側壁２４に近接する部位及び隣接する第三側壁２４の外周面の補強板２７に近接する部位がホットメルトまたは加圧方式により加工され（図４参照）、両者の外面を被覆するプラスチックフィルムが加熱された後に相互に接着されることにより形成されている。前述の接着部２９を設けることにより、ボックス本体２０の構造支持性能が高まり、潰れたり曲がって変形しにくくなっている。
【００２５】
次いで、本考案のボックス本体２０のうちの１つの側壁（例えば、第一側壁２２）には少なくとも１つの挿入部３０がさらに設けられている（理解を容易にするため、以下第一挿入部３０という）。詳しくは、図５及び図７に示すように、第一側壁２２は紙材が外から内に折曲されて接着された後に内層２２１及び外層２２３を有し、外層２２３の左右両端には挿入口部３１と、挿入口部３１に対向するように連通している２つのスリット３２と、挿入口部３１に正対していると共に２つのスリット３２の間に位置しているガイド部３３とをそれぞれ有し、挿入口部３１、２つのスリット３２、及びガイド部３３が共同で第一挿入部３０を構成している。しかしながら、第一挿入部３０は外層２２３に設けることに制限されず、実際の需要に応じて内層２２１に設けてもよい。また、第一挿入部３０（特に挿入口部３１）の数量は２つに限定せず、例えば、第一側壁２２の中間部位に１つの第一挿入部３０（挿入口部３１）のみを設けてもよい。
【００２６】
ボックスカバー４０はカバー４１及び翼部４２を有している。カバー４１は後側辺がボックス本体２０の第二側壁２３に連接され、翼部４２はカバー４１の前側辺に連接されていると共にカバー４１との間（すなわち、翼部４２のカバー４１にそれぞれ連接される箇所）には折り目４３が形成され（理解を容易にするため、以下第二折り目４３という）、第二折り目４３には単一の接着部４５が全面的に被覆するように設けられ（図２参照）、或いは間隔を空けて配列されている複数の接着部４５が設けられ（図３参照）、翼部４２のカバー４１に近接する部位及びカバー４１の翼部４２に近接する部位が全面的または部分的に接着されて固定されている。本実施例では、前述の接着部４５はカバー４１の底面の各翼部４２に近接する部位及び翼部４２の内周面のカバー４１に近接する部位に対しホットメルト及び加圧を施すことで加工され、両者の表面を披覆しているプラスチックフィルムが加熱された後に相互に接着されることにより形成されているが、但し本考案の接着部４５の形成方式はこれに限らず、例えば、前記接着部４５を形成するカバー４１の底面及び翼部４２の内周面に対し、例えばホットメルト接着剤のような接着剤を直接塗布して前記接着部４５を形成してもよい。接着部４５を設けることにより、ボックスカバー４０の構造支持性能が高まり、曲がって変形しにくくなる。次いで、翼部４２のカバー４１に近接する部位及びカバー４１の翼部４２に近接する部位が全面的または部分的に相互に接着されているため、翼部４２が接着力の作用を受けて内に向けて傾斜してカバー４１の底面に密着し、ユーザーが翼部４２を外に向けて開き、翼部４２をボックス本体２０の側壁（例えば、図６に示す破線）に凭れかけると、翼部４２が前述の接着力の作用を受けて内に向けて跳ね戻るように傾く。これにより、ボックスカバー４０をボックス本体２０に蓋をする際に、翼部４２がボックス本体２０に密着するように緊密に狭着する。
【００２７】
また、図５と図７に示すように、翼部４２は外に向けて突出する２つの挿入部４４を有し（理解を容易にするため、以下第二挿入部４４という）、各第二挿入部４４は外方向に漸縮するテーパー形状を呈している。ボックスカバー４０により蓋をした場合、カバー４１が収容スペース２５に蓋をし、次いで、これら前記第二挿入部４４が１対１でこれら前記ガイド部３３に当接した後にこれら前記ガイド部３３に沿って下に向けて押動され、これら前記第二挿入部４４が対応する挿入口部３１内にそれぞれ挿入されると共にこれら前記スリット３２内にそれぞれ挟装され、こうしてボックスカバー４０の固定が完了する。この際、翼部４２が接着部４５の補強効果により（すなわち、翼部４２が接着力の作用を受けて内に向けて傾斜して跳ね戻るように傾く）、その内周面がボックス本体２０の第一側壁２２の外周面に緊密に当着し、係合効果がさらに緊密で確実になる。
【００２８】
以上を総合すると、本考案のスナップフィット紙弁当箱１０はボックス本体２０の第一挿入部３０及びボックスカバー４０の第二挿入部４４の組み合わせによりボックスカバー４０が高速で安定的な固定効果を達成し、別途輪ゴムを使用せずに使用コスト削減の目的を達成する。また、接着部２９、４５を設けることにより、一方ではボックス本体２０の構造強度を高め、ボックス本体２０に食材を盛り付ける際に変形しにくくし、他方ではボックス本体２０とボックスカバー４０との間の係合効果及び密閉性を高めて埃や虫等の外界の異物が進入するのを防止している。
【００２９】
ちなみに、ボックス本体２０とボックスカバー４０との間の構造の組み合わせは、本実施例に記載の態様に限られない。例えば、図８及び図９において、ボックス本体２０は左右２つの補強板２７を省略しており、カバー４１の前側辺及び左右両側辺には翼部４２がそれぞれ連設されており、ボックスカバー４０がボックス本体２０に蓋をする際に３つの翼部４２がボックス本体２０に緊密に狭着されるようになっている。また、ボックス本体２０及びボックスカバー４０は必ずしも連接する必要はなく、図１０に示す分離設計を採用してもよい。第一側壁２２及び第二側壁２３に１つまたは複数の第一挿入部３０をそれぞれ設け、この際にカバー４１の前側辺及び後側辺に共に翼部４２が連設され、且つ各翼部４２には前述の第一挿入部３０に数量及び位置が対応する第二挿入部４４が設けられ、これによりさらに好適な係合効果を提供している。また、図１１に示すように、ボックス本体２０に左右２つの補強板２７を設置せず、カバー４１の前側辺、後側辺、及び左右両側辺に翼部４２をそれぞれ連設する分離設計を採用してもよい。当然ながら、前述の各翼部４２は、第二挿入部４４が設けられるか否かに係らず、翼部４２及びカバー４１の連接箇所に１つまたは複数の接着部４５を設け、翼部４２のカバー４１に近接する部位及びカバー４１の翼部４２に近接する部位を全面的または部分的に接着して固定し、前述の接着部４５によりボックス本体２０の係合効果をさらに緊密で確実にしてもよい。
【００３０】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００３１】
１０  スナップフィット紙弁当箱
２０  ボックス本体
２１  底壁
２２  第一側壁
２２１  内層
２２３  外層
２３  第二側壁
２４  第三側壁
２５  収容スペース
２６  仕切り構成
２７  補強板
２８  第一折り目
２９  接着部
３０  第一挿入部
３１  挿入口部
３２  スリット
３３  ガイド部
４０  ボックスカバー
４１  カバー
４２  翼部
４３  第二折り目
４４  第二挿入部
４５  接着部
【図１】
0003235058.tif 000003
【図２】
0003235058.tif 000004
【図３】
0003235058.tif 000005
【図４】
0003235058.tif 000006
【図５】
0003235058.tif 000007
【図６】
0003235058.tif 000008
【図７】
0003235058.tif 000009
【図８】
0003235058.tif 000010
【図９】
0003235058.tif 000011
【図１０】
0003235058.tif 000012
【図１１】
0003235058.tif 000013